(57)【要約】本発明は、プラグイン・コネクタ(１)および第１レセプタクル(１４)を備えた第１コンタクト・ケーシング(１０)および第２レセプタクル(８)を備えた第２コンタクト・ケーシング(７)を有するプラグイン・モジュールシステムに関する。第１レセプタクル(１４)はソケット・コンタクト(１２)を受容するように設けられており、第２レセプタクル(８)はプラグ・コンタクト(１３)を受容するように設けられており、第１レセプタクル(１４)および第２レセプタクル(８)が同じように形成されている。
2013526764.tif 000002
【特許請求の範囲】
【請求項１】
第１レセプタクル(１４)を備えた第１コンタクト・ケーシング(９；１０；７０)、および第２レセプタクル(８)を備えた第２コンタクト・ケーシング(６；７)を有したプラグイン・コネクタ(１；２；３；４；５)であって、
第１レセプタクル(１４)がソケット・コンタクト(１２)を受容するように設けられており、又、第２レセプタクル(８)がプラグ・コンタクト(１３)を受容するように設けられており、
第１レセプタクル(１４)および第２レセプタクル(８)が同じように形成されていることを特徴とする、プラグイン・コネクタ(１；２；３；４；５)。
【請求項２】
レセプタクル(８、１４)が、ソケット・コンタクト(１２)およびプラグ・コンタクト(１３)のラッチ・アーム(１５)をいずれの場合も受容するために供された凹部(１６)をいずれの場合も有していることを特徴とする、請求項１に記載のプラグイン・コネクタ(１；２；３；４；５)。
【請求項３】
レセプタクル(８、１４)がいずれの場合も開口部を有し、開口部(１９)がソケット・コンタクト(１２)又はプラグ・コンタクト(１３)に向かって内側に方向づけされた漏斗形状領域(２３)を有し、および
ソケット・コンタクト(１２)および/又はプラグ・コンタクト(１３)のスリーブ(２１)が、漏斗形状領域(２３)と関連した円錐領域(２４)を有していることを特徴とする、請求項１又は２に記載のプラグイン・コネクタ(１；２；３；４；５)。
【請求項４】
開口部(１９)が、コンタクト・ケーシング(６；７；９；１０；７０)の外側に更なる漏斗形状領域(２５)を有していることを特徴とする、請求項３に記載のプラグイン・コネクタ(１；２；３；４；５)。
【請求項５】
第１コンタクト・ケーシング(９；１０)および第２コンタクト・ケーシング(６；７)が実質的に同じように形成されていることを特徴とする、請求項１〜４のいずれかに記載のプラグイン・コネクタ(１；２；３；４；５)。
【請求項６】
コンタクト・ケーシング(６；７；９；１０；７０)が、ケーシング・ホルダー(３３；３９；３３０)の突起部(３１,６０,６１)を受容するように設けられている少なくとも１つの第１溝(１９)を外側周縁面に有していることを特徴とする、請求項１〜５のいずれかに記載のプラグイン・コネクタ(１；２；３；４；５)。
【請求項７】
ケーシング・ホルダー(３２；３３；３９)が第１又は第２コンタクト・ケーシング(６；９；７０)の周りと少なくとも部分的に係合し、又、ケーシング・ホルダー(３３；３９；３３０)が、第１又は第２コンタクト・ケーシング(６；９；７０)をコネクタ・ケーシング(３２；３４；３６)に接続するように設けられていることを特徴とする、請求項６に記載のプラグイン・コネクタ(１；２；３；４；５)。
【請求項８】
ケーシング・ホルダー(３３；３９；３３０)が、コネクタ・ケーシング(３２；３４；３６)のラッチ・レセプタクル(３７)に係合するように設けられているラッチ手段(３５)をケーシング・ホルダー(３３；３９；３３０)の外面に有していることを特徴とする、請求項７に記載のプラグイン・コネクタ(１；２；３；４；５)。
【請求項９】
ケーシング・ホルダー(３３；３９；３３０)が、コネクタ・ケーシング(３２；３４；３６)のコーディング凹部(４０)に係合するように設けられているコーディング・リブ(３８)を有していることを特徴とする、請求項７又は８に記載のプラグイン・コネクタ(１；２；３；４；５)。
【請求項１０】
特に請求項１〜９のいずれかに記載のプラグイン・コネクタ(１；２；３；４；５)およびケーシング・ホルダー(３３；３９；３３０)を有したプラグイン・モジュールシステム(２；３；４；５)であって、
ケーシング・ホルダー(３３；３９；３３０)がプラグイン・コネクタ(１；２；３；４；５)の第１コンタクト・ケーシング(９；１０；７０)に接続されており、
ケーシング・ホルダー(３３；３９；３３０)が第１コンタクト・ケーシング(９；１０；７０)をコネクタ・ケーシング(３２；３４；３６)に取り付けるように設けられており、第２コンタクト・ケーシング(６；７)をコネクタ・ケーシング(３２；３４；３６)に取り付けるための手段(２９,３１)が供されていることを特徴とする、プラグイン・モジュールシステム(２；３；４；５)。
【請求項１１】
ケーシング・ホルダー(３３；３９；３３０)がコンタクト・ケーシング(６；７；９；１０；７０)を部分的に囲んでおり、又、コンタクト・ケーシング(６；７；９；１０；７０)が接続手段(２９,３１)によりケーシング・ホルダー(３３；３９；３３０)に接続されていることを特徴とする、請求項１０に記載のプラグイン・モジュールシステム(１；２；３；４；５)。
【請求項１２】
接続部および/又は手段が、凸部および溝の接続部(２９,３１)および/若しくは少なくとも１つの圧縮リブ並びに/又はラッチ手段(４９；５１)を有していることを特徴とする、請求項１０又は１１に記載のプラグイン・モジュールシステム(１；２；３；４；５)。
【請求項１３】
第１ケーシング・ホルダー(３３；３９)が、コネクタ・ケーシング(３２；３４；３６)の凹部(３７)に係合し、又、ケーシング・ホルダー(３３；３９；３３０)をコネクタ・ケーシング(３２；３４；３６)に接続するように設けられているラッチ・スプリング(３５)をその外面に有していることを特徴とする、請求項１０〜１２のいずれかに記載のプラグイン・モジュールシステム(１；２；３；４；５)。
【請求項１４】
ケーシング・ホルダー(３３；３９；３３０)が、コネクタ・ケーシング(３６)のコーディング凹部(４０)に係合し、又、コネクタ・ケーシング(３２；３６)に対するケーシング・ホルダー(３３；３９)の向きを規定する少なくとも１つのコーディング・リブ(３８)を有していることを特徴とする、請求項１０〜１３のいずれかに記載のプラグイン・モジュールシステム(１；２；３；４；５)。
【請求項１５】
第１コンタクト・ケーシング(９；１０；７０)が第２コンタクト・ケーシング(６；９)と同じように形成されていることを特徴とする、請求項１０〜１４のいずれかに記載のプラグイン・モジュールシステム(１；２；３；４；５)。
【発明の詳細な説明】
【技術分野】
【０００１】
本発明は、第１レセプタクルを備えた第１コンタクト・ケーシング、および第２レセプタクルを備えた第２コンタクト・ケーシングを有するプラグイン・コネクタおよびプラグイン・モジュールシステムに関する。第１レセプタクルはソケット・コンタクトを受容するように設けられており(又は設計されており；ｄｅｓｉｇｎｅｄ  ｔｏ)、第２レセプタクルはプラグ・コンタクトを受容するように設けられている。
【背景技術】
【０００２】
プラグ・コンタクトのためのレセプタクルを有する第１コンタクト・ケーシング、およびソケット・コンタクトのための第２レセプタクルを有する第２コンタクト・ケーシングを含んで成るプラグイン・コネクタがＵＳ３６８６６１９で開示されている。その中で、第１コンタクト・ケーシングは、第２コンタクト・ケーシングに第１コンタクト・ケーシングを押す際、ソケット・コンタクトにプラグ・コンタクトを貫通させて第２コンタクト・ケーシングと部分的に係合するように設けられている。この場合、第１レセプタクルが第１コンタクト・ケーシング中にプラグ・コンタクトの最適に保持されるように、第１レセプタクルが構成されている。同様に、第２レセプタクルがソケット・コンタクトに適合している。
【発明の概要】
【０００３】
本発明は、改良し、単に延在させたプラグイン・コネクタ、および改良させたプラグイン・モジュールシステムを供することである。
【０００４】
この目的は、請求項１に記載のプラグイン・コネクタにより達成される。本発明の好ましい態様を従属請求項に記載する。
【０００５】
第１レセプタクルを有する第１コンタクト・ケーシングおよび第２レセプタクルを有する第２コンタクト・ケーシングを有して成る改良されたプラグイン・コネクタにより、プラグイン・コネクタを利用することができると分かっている。第１レセプタクルはソケット・コンタクトを受容するように設けられており、第２レセプタクルはプラグ・コンタクトを受容するように設けられており、第２レセプタクルは同じように形成されている。
【０００６】
レセプタクルを形成するために１つの金型のみを要するので、プラグイン・コネクタの生産を安価で、簡単な方法で行うことができる利点を有している。
【０００７】
本発明の更なる態様では、レセプタクルがソケット・コンタクト又はプラグ・コンタクトのラッチ・アームをいずれの場合も受容するために供される凹部をいずれの場合も有する。
【０００８】
本発明の更なる態様では、レセプタクルの各々は開口部を有する。開口部は、ソケット・コンタクト又はプラグ・コンタクトに向かって内側に向かう漏斗形状領域(又は漏斗形状部又はファンネル形状領域又はファンネル形状部；ｆｕｎｎｅｌ−ｓｈａｐｅｄ  ｒｅｇｉｏｎ)を有して成る。ソケット・コンタクトおよび/又はプラグ・コンタクトのスリーブは、開口部の漏斗形状領域と関連する円錐領域を有して成る。これにより、レセプタクルに挿入する際にレセプタクルにプラグ・コンタクトを簡単な方法で中央に合わせることができる。
【０００９】
本発明の更なる態様では、開口部はケーシングの外側に更なる漏斗形状領域を有する。これにより、第２コンタクト・ケーシングのプラグ・コンタクトのピンがソケット・コンタクトの開口部に直接的に導かれるので、第１コンタクト・ケーシングのソケット・コンタクトに第２コンタクト・ケーシングのプラグ・コンタクトのピンを導入し易くなる。
【００１０】
本発明の更なる態様では、第１コンタクト・ケーシングおよび第２コンタクト・ケーシングが実質的に同じように形成される。これにより、安価に生産でき、ソケット・コンタクトおよびプラグ・コンタクトの両方に使用することができるコンタクト・ケーシングを利用することが可能である。更に、コンタクト・ケーシングを射出成形機１つのみで生産することができる。
【００１１】
本発明の更なる態様では、コンタクト・ケーシングは、外側周縁面にケーシング・ホルダーの突起部を受容するように設けられている少なくとも１つの溝を有する。これにより、コンタクト・ケーシングはケーシング・ホルダーに簡単かつ確実に取り付ける（又は固定する；ｆａｓｔｅｎ）ことが可能となる。
【００１２】
本発明の更なる態様では、ケーシング・ホルダーは第１又は第２コンタクト・ケーシングの周りに少なくとも部分的に係合し、ケーシング・ホルダーはコネクタ・ケーシングに第１又は第２コンタクト・ケーシングを接続するように設けられている。この場合、ケーシング・ホルダーは、その外面にコネクタ・ケーシングのラッチ・レセプタクルに係合するラッチ手段を有していてよい。これにより、ケーシング・ホルダーにより、コネクタ・ケーシングに第１又は第２ケーシングを確実にかつ簡単に取り付けることが可能である。
【００１３】
本発明の更なる態様では、ケーシング・ホルダーは、コネクタ・ケーシングのコーディング(又は一定の規則又は配置で設けられた；ｃｏｄｉｎｇ)凹部に係合するように設けられているコーディング・リブを有している。これにより、コネクタ・ケーシングのケーシング・ホルダーの方向付けを簡単な方法で規定することが可能である。
【００１４】
又、本発明は請求項１２に記載のプラグイン・モジュールシステムで達成することができる。好ましい態様は従属項に記載されている。
【００１５】
又、本発明により、プラグイン・モジュールシステムがプラグイン・コネクタおよび第１ケーシング・ホルダーを有して成ることで、改良されたプラグイン・モジュールシステムが供されると分かっている。第１ケーシング・ホルダーはコネクタ・ケーシングに第１コンタクト・ケーシングを取り付けるために設けられており、コネクタ・ケーシングに第２コンタクト・ケーシングを取り付けるための手段が供される。
【００１６】
これにより、簡単かつ安価で生産可能なプラグイン・モジュールシステムを供することが可能である。
【００１７】
本発明の更なる態様では、コネクタ・ケーシングはいくつかの部品で設計される。コネクタ・ケーシングはコネクタ・ケーシング部および第２ケーシング・ホルダーを有して成り、コネクタ・ケーシング部に第２ケーシング・ホルダーを接続するための手段が供される。これにより、第２ケーシング・ホルダーおよびコネクタ・ケーシング部を生産するための金型を簡単な方法で設計することが可能である。それ故、プラグイン・モジュールシステムを安価に生産することが可能である。
【００１８】
本発明の更なる態様では、接続部および/又は手段は、凸部および溝接続部および/若しくは少なくとも１つの圧縮リブ並びに/又はラッチ手段を有して成る。これにより、プラグイン・モジュールシステムの個々の要素を簡単かつ確実に互いに接続することができる。
【００１９】
本発明の更なる態様では、第１ケーシング・ホルダーは、その外面にコネクタ・ケーシングの凹部に係合し、コネクタ・ケーシングに第１ケーシング・ホルダーを接続するために設けられているラッチ・スプリングを有している。これにより、第１コンタクト・ケーシングをケーシング・ホルダーによりコネクタ・ケーシングに確実かつ可逆的に取り付けることが可能である。
【図面の簡単な説明】
【００２０】
【図１】図１は、コンタクト・ケーシングの断面図を示す。
【図２】図２は、コンタクト・ケーシングの側面図を示す。
【図３】図３は、プラグイン・コネクタの断面図を示す。
【図４】図４は、プラグイン・モジュールシステムの第１モジュールの拡大図を示す。
【図５】図５は、組立てた状態での第１モジュールの３Ｄ図を示す。
【図６】図６は、プラグイン・モジュールシステムの第２モジュールの拡大図を示す。
【図７】図７は、組立てた状態での第２モジュールの３Ｄ図を示す。
【図８】図８は、組立てた状態での第２モジュールを示す。
【図９】図９は、第３モジュールの３Ｄ図を示す。
【図１０】図１０は、組立てた状態での第３モジュールの３Ｄ図を示す。
【図１１】図１１は、第４モジュールの拡大図を示す。
【図１２】図１２は、部分的に組立てた状態での第１および第４モジュールの３Ｄ図を示す。
【発明を実施するための形態】
【００２１】
図１はコンタクト・ケーシング７、１０の断面図を示し、図２はコンタクト・ケーシング７、１０の側面図を示す。コンタクト・ケーシング７、１０は細長く、矩形形状であり、レセプタクル８、１４を有する。レセプタクル８、１４はコンタクト・ケーシング７、１０の全長に及ぶ。レセプタクル８、１４は略矩形であり、コンタクト・ケーシング７、１０の一方の端面３０、３００にいずれの場合にも設けられ、レセプタクル８、１４の方向に設けられる２つの開口部１９、５５を有して成る。
【００２２】
更に、レセプタクル８、１４は、レセプタクル８、１４に対して直角に方向づけされ、コンタクト・ケーシング７、１０の第１側面３０１の周囲に向かって開口している第１の立方体状の凹部１６を有して成る。更に、第２の立方体状の凹部１６０が同じ側面３０１の第１凹部１６に隣接して設けられている。凹部１６の直角側面に設けられている第１開口部１９は、その内側に第１開口部１９を締め付ける第１漏斗形状領域２３を有して成る。第１開口部１９は、コンタクト・ケーシング７、１０の外側に第２漏斗形状領域２５を有する。レセプタクル８、１４の左手側に設けられている第２開口部５５は、レセプタクル８、１４の断面に対して第２開口部５５の断面を拡大する面取り４３を有する。更に、レセプタクル８、１４の断面は、第１内面２８であるレセプタクル８、１４の左手側に円形部分形状の更なる内面４１により延在される。
【００２３】
図３は、プラグイン・コネクタ１の断面図を示す。プラグイン・コネクタ１は、図１および図２に示されるコンタクト・ケーシング７、１０に形態で一致する第１コンタクト・ケーシング１０および第２コンタクト・ケーシング７を有して成る。この場合、第１コンタクト・ケーシング１０は、ソケット・コンタクト１２を受容するための第１レセプタクル１４を有する。第２コンタクト・ケーシング７は、プラグ・コンタクト１３を受容するための第２レセプタクル８を有する。プラグ・コンタクト１３は、第２レセプタクル８により完全に受容され、その右手側にてケーブル１１に接続され、又、左手側に第１コンタクト・ケーシング１０中に突き出るピン２０を有している。
【００２４】
左手側で更にケーブル１１に接続されるソケット・コンタクト１３は、第１コンタクト・ケーシング１０の第１レセプタクル１４中に設けられる。その右手側では、ソケット・コンタクト１２は、ソケット・コンタクト１２の周りと係合するスリーブ２１を有する。ソケット・コンタクト１２は、スリーブ２１の内側に互いに対向して向き合う少なくとも２つの接触アーム１７を有して成る。接触アーム１７の端部は、ピン２０との確実な接触を確保するためにノズル形状である。
【００２５】
接触アーム１７の領域では、スリーブ２１は雌の・コンタクト１２を取り囲む。この場合、スリーブ２１はソケット・コンタクト１２とエッジ点４２で接続される。スリーブ２１は、第１レセプタクル１４の第１凹部１６に突き出るラッチ・アーム１５を更に有する。これにより、第１凹部１６中のラッチ・アーム１５と突起により取り出しが妨げられることで、左側から来るソケット・コンタクト１２を第１レセプタクル１４に押すことが可能である。スリーブ２１はソケット・コンタクト１２の前端に設けられる円錐領域２３を更に有して成る。この場合、円錐領域２４は第１レセプタクル１４の第１漏斗形状領域２３と関連しており、第１漏斗形状領域２３から離れて設けられている。その距離はキンク５９を有するラッチ・アーム１５の形態により規定される。この場合、円錐領域２４が第１漏斗形状領域２３と当たる前に、雌・コンタクト１２又はコンタクトプラグ１３の挿入時に第１凹部１６の第２側面６７と接触するように、キンク５９がスリーブ２１に設けられる。
【００２６】
ソケット・コンタクト１２の中央は、スリーブ２１の第１周囲面２２により第１レセプタクル１４内に更に規定される。第１周囲面２２は第１レセプタクル１４の第１内面２８に位置する。接触アーム１７からソケット・コンタクト１２の他端では、ケーブル１１はソケット・コンタクト１２にあるケーブル固定点２６により電気的導体手段でソケット・コンタクト１２に接続される。この場合、ソケット・コンタクト１２にある第１レセプタクル１４でかなり大きなケーブル１１のケーブル横断面を受容することを可能とするために、接触アーム１７の領域での断面と比べて、ケーブル固定点２６の領域で第１レセプタクル１４の横断面を拡大することが可能である。面取り４３は、第１レセプタクル１４にソケット・コンタクト１２の挿入をし易くする。
【００２７】
第２レセプタクル８を有する第２コンタクト・ケーシング７は、第１コンタクト・ケーシング１０の右側に設けられる。第２レセプタクル８は、第１レセプタクル１４と同じ形状で形成される。プラグ・コンタクト１３は第２レセプタクル８内に設けられる。プラグ・コンタクト１３の構造はソケット・コンタクト１２の構造と同様であり、接触アーム１７の部位はピン２０のピン止め具５８により置き換えられる。この場合のピン２０は第２コンタクト・ケーシング７から第１コンタクト・ケーシング１０に突き出る。この場合のピン止め具５８はスリーブ２１の周りに係合される。更に、スリーブ２１は円錐領域２４を有する。第１漏斗形状領域２３は、プラグ・コンタクト１３の場合にピン２０が漏斗形状領域２３の斜めの漏斗形状面に沿って第１開口部１９に対して導かれる際に第１開口部１９へのピン２０の導入をし易くなるという利点を有する。この場合に第１開口部１９の横断面はピン２０の横断面に略対応する。組立時にプラグ・コンタクト１３が第２レセプタクル８に完全に導入されるならば、スリーブ２１のラッチ・アーム１５は第１凹部１６に留まり、ソケット・コンタクト１２にピン２０を挿入する際にプラグ・コンタクト１３が引き戻されないようにされる。同様に、スリーブ２１の外側の第１周囲面２２は、第２レセプタクル８の第１内面２８に位置する。第１コンタクト・ケーシング１０の第２漏斗形状領域２５により、第１コンタクト・ケーシング１０の第１開口部１９内へのピン２０の挿入をし易くなり、それによって、第２漏斗形状領域２５の斜面を通じて開口部１９に直接的にピン２０が導かれることで、ソケット・コンタクト１２の接触アーム１７との電気導電性接続が構築される。
【００２８】
２つのコンタクト・ケーシング７、１０の取り付けは取り付けフック６０により行われる。取り付けフック６０は、対向するコンタクト・ケーシング７、１０の方向に配置されるフック６１を前端部に有する。組立て状態で、フック６１は第２凹部１６０に係合し、それにより、コンタクト・ケーシング７、１０がレセプタクルの方向に移動しないようにすることが可能である。レセプタクル８、１４を横切るコンタクト・ケーシング７、１０に対して取り付けフック６０を押すことで、コンタクト・ケーシング７、１０が組み立てられる。更に、ラッチ・アーム１５が損傷して、ソケット・コンタクト１２又はプラグ・コンタクト１３が引き抜かれることがないようにする取り付けフック６０がレセプタクル８、１４に突き出ているので、取り付けフック６０はソケット・コンタクト１２およびプラグ・コンタクト１３の更なるロックが確保される。コンタクト・ケーシング７に取り付けフック６０を押す際のブロッキングにより、プラグ・コンタクト１３又はソケット・コンタクト１２が十分に挿入されていることを示すので、取り付けフック６０のアッセンブリにより、プラグ・コンタクト１３又はソケット・コンタクト１２が所望の位置にあるか否か確認することが可能である。
【００２９】
第１コンタクト・ケーシング１０の第１レセプタクル１４および第２コンタクト・ケーシング７の第２レセプタクル８の形態が実質的に同じであることで、射出成形工程で同じ射出金型で、例えばプラスチック材料から２つのコンタクト・ケーシング７、１０およびそれらのレセプタクル８、１４を製造することが可能である。この場合、要求に応じて、形態を変更することなく、ソケット・コンタクト１２又はプラグ・コンタクト１３を受容することができるように、２つのレセプタクル８、１４が形成される。
【００３０】
図４はプラグイン・モジュールシステムの第１モジュール２の分解図を示し、図５は組立てた状態での第１モジュール２の３Ｄ図を示す。モジュール２は第１ケーシング・ホルダー３３および第３コンタクト・ケーシング９を有して成る。この場合、第３コンタクト・ケーシング９は、図１および図３に示すように複数の第１レセプタクル１４を有して成る。この場合、第１レセプタクル１４がソケット・コンタクト１２を受容するように設けられている。第３コンタクト・ケーシング９は略Ｔ形状である。この場合、上方端面３０は図１の右手側に設けられた端面３０と一致する。この場合、第３コンタクト・ケーシング９のＴ字状の部材は下側に設けられ、Ｔ字状の部材端部領域に相互に間隔を有して離れて設けられた上向きのバー４９を有して成る。第３コンタクト・ケーシング９の第２外面４８には、端面３０に平行した第２外面４８に溝２９が形成されている。この場合、溝２９は第１レセプタクル１４の長手方向に対して横方向に延在しており、略Ｌ字形状の横断面を有している。この場合、外面４８にバー６２を収めることにより溝２９が収められる。第３コンタクト・ケーシング９の上方部には、１つのラッチ突起部５１がいずれの場合にも左手側の角に設けられている。
【００３１】
第１ケーシング・ホルダー３３は略Ｕ字形状の形態を有する。この場合には、作動面４６を有するラッチ・スプリング３５がケーシング・ホルダー３３の外側の第３外面６８に供される。ラッチ・スプリング３５は２つのコーディング・リブ３８により側面に位置する。この場合のコーディング・リブ３８は第３コンタクト・ケーシング９の第１レセプタクル１４に平行に延在する。更に、第１ケーシング・ホルダー３３は、第１ケーシング・ホルダー３３のエッジ部および第１ケーシング・ホルダー３３の後側６３の中央に設けられているコーディング・リブ３８を更に有する。第１ケーシング・ホルダー３３の第３内面４７には、凸部および溝接続のための突起部３１がコーディング・リブ３８の長手方向に対して横方向に設けられている。この場合、突起部３１が図１に示される取り付けフック６１と同様の上向きのフック６０を有する。
【００３２】
第１ケーシング・ホルダー３３を組み立てるために、矢印方向に第３コンタクト・ケーシング９が押される。そうする事で、突起部３１が第３コンタクト・ケーシングの溝２９に係合し、組立ての間に第１ケーシング・ホルダーが導かれる。第１ケーシング・ホルダー３３が端部に到達した場合、第３コンタクト・ケーシング９の右側側面５６が第１ケーシング・ホルダー３３の第３内面４７と接触する。更に、ラッチ突起部５１が第１コンタクト・ホルダー３３のラッチ・レセプタクル４５にラッチする。ラッチ手段５１、４５のラッチにより、第３コンタクト・ケーシングが第３コンタクト・ホルダー３３から不意に外れることから保護される。更に、上向きのバー４９が第１ケーシング・ホルダー３３の下端６４の周りに係合し、それによって、第１ケーシング・ホルダー３３が下部でも第３コンタクト・ケーシング９と確実に接続される。第３コンタクト・ケーシング９に第１ケーシング・ホルダー３３を組み立てる前に、ソケット・コンタクト１２を第３コンタクト・ケーシング９に導くことが可能である。又、レセプタクル１４、８が実質的に同じように形成されるので、ソケット・コンタクト１２の代わりに、プラグ・コンタクト１３を同じ第３コンタクト・ケーシング９に導くことが可能である。
【００３３】
図６はプラグイン・モジュールシステムの第２モジュール３の分解図を示し、図７は組み立てた状態での第２モジュール３の３Ｄ図を示す。モジュール３は、第１コネクタ・ケーシング３２および複数のプラグ・コンタクト１３のための第４ケーシング・コンタクト６を有して成る。しかしながら、その代わりに図５に示すようにソケット・コンタクト１２が第４コンタクト・ケーシング６に導かれることが考えられる。第４コンタクト・ケーシング７の第２レセプタクル８は複列で相互に隣接して平行に設けられる。この場合、第２レセプタクル８は、図１および図３に示されるソケット・コンタクト１２のための第１レセプタクル１４と同一である。第１コネクタ・ケーシング３２は、第４ケーシング・コンタクト６を取り付けるため第２コネクタ・ケーシング３２の上側領域に設けられる組み入れられた第２ケーシング・ホルダー３３０を有して成る。第２ケーシング・ホルダー３３０は、第４ケーシング・コンタクト６が左手側に挿入される第３レセプタクル５７を有する。第３レセプタクル５７は相互に対向して設けられた２つの突起部３１を有して成る。突起部３１は第４コンタクト・ケーシング６の溝２９に係合するために供される。そのような場合、図３に示される取り付けフック６０のような突起部３１が設けられ、溝２９に設けられる限定的なバー６２に係合するため供されるフック６１を有する。更に、第１コネクタ・ケーシング３２は左手側に設けられる２つの対向するラッチ・レセプタクル４５を有する。
【００３４】
第４コンタクト・ケーシング６に面する左手側にある上方角は傾き６９により傾いている。第２ケーシング・ホルダーの下に位置するベース領域６５は、第１モジュール２を受容するため供される。この領域では、第１コネクタ・ケーシング３２は、図４および図５に示される第１ケーシング・ホルダー３３のラッチ・スプリング３５を受容するための第２ラッチ・レセプタクル３７を有して成る。
【００３５】
第１コネクタ・ケーシング３２に第４コンタクト・ケーシング６を組み立てるために、第４コンタクト・ケーシング６は矢印の方向に第１コネクタ・ケーシング３２の第３レセプタクル５７に左から挿入される。そうする事で、突起部３１が第４コンタクト・ケーシング６の溝２９に係合し、それによって、第１コネクタ・ケーシング３２に更なるコンタクト・ケーシングの際に、第４コンタクト・ケーシング６を第２レセプタクル８の方向に移ることがないようにする。第４コンタクト・ケーシング６が取り付け位置に到達した場合、ラッチ突起部５１がラッチ・レセプタクル４５にラッチする。これにより、第１コネクタ・ケーシング３２から第４コンタクト・ケーシング６が不意に外れることを回避する。第４コネクタ・ケーシング６を押す際、バー４９は第２ケーシング部３３０に押し易くする第２ケーシング部３３０の周縁にある斜面６９と係合する。これにより、第１コネクタ・ケーシング３２に第４コンタクト・ケーシング６が確実に接続されて、プラグイン・モジュールシステムの第２モジュール３が形成される。
【００３６】
図８はプラグイン・モジュールシステムの第１および第２モジュール２、３の３Ｄ図を示す。この場合、第１モジュール２は第２モジュール３の第１コネクタ・ケーシング３２に取り付けられる。第１モジュール２は、第２ラッチ・レセプタクル３７に係合する第１ケーシング・ホルダー３３のラッチ・スプリング３５により取り付けられる。第１ケーシング・ホルダー３３の導入は下方から行われ、第１ケーシング・ホルダー３３の周縁に設けられたコーディング・リブ３８により行い易い。第１ケーシング・ホルダー３３が第１コネクタ・ケーシング３２に導入されるならば、個々のプラグ・コンタクト１３とソケット・コンタクト１２との間の電気的接続が形成される。
【００３７】
この場合の第３ケーシング・コンタクト６および第４ケーシング・コンタクト９は同一のレセプタクル８、１４のみではなく、完全に同一形態に形成されたレセプタクル８、１４を有する。この利点として、プラグイン・モジュールシステムのためのコンタクト・ケーシング６，９をソケット・コンタクト１２およびプラグ・コンタクト１３の両方に使用することが可能である。ソケット・ケーシング又はコネクタ・ケーシングを分離させて生産することが可能であるので、プラグイン・モジュールシステムを安価に生産することが可能である。
【００３８】
図９は第３モジュール４の３Ｄ図を示す。第３モジュール４は、第２コネクタ・ケーシング３４の内部に突き出る下側に設けられた複数のプラグ・コンタクト１２を有するコネクタ・ケーシング３４を有して成る。第２コネクタ・ケーシング３４はＴ字形状である。内部のコーディング・レセプタクル４０は、第２コネクタ・ケーシング３４の後側に設けられる。同様に、２つのコーディング・レセプタクル４０が前側の内部に設けられる。この場合の第３モジュール４の前側領域が側面コーディング・リブ３８のある図４に示されるラッチ・スプリング３５を受容するように設けられることで、第２コネクタ・ケーシング３４中に第１ケーシング・ホルダー３３が固定される。
【００３９】
図１０は、組み立てた状態での第１および第３モジュール２、４の３Ｄ図を示す。この場合、第３コンタクト・ケーシング９と共に第１ケーシング・ホルダー３３が第２コネクタ・ケーシング３４に設けられる。第３コンタクト・ケーシング９と共に第１ケーシング・ホルダー３３がラッチ・スプリング３５により第２コネクタ・ケーシング３４に確実に取り付けられる。第３コンタクト・ケーシング９は、第１ケーシング・ホルダー３３と第３コンタクト・ケーシング９との間の凹部−溝接続部２９、３１により第１ケーシング・ホルダー３３から確実に取り出されにくくする。第１コネクタ・ケーシング３４中に第１ケーシング・ホルダー３３がコーディング・リブ３８により第１ケーシング・ホルダー３３の位置を規定することにより挿入し易くなる。第３モジュール４は、自動車の制御ユニット等のデバイスに第１モジュールを確実に、簡単におよび可逆的に接続するために特に適当である。
【００４０】
図１１は第４モジュール５の分解図を示す。第４モジュール５は第３コネクタ・ケーシング３６および第３ケーシング・ホルダー３９を有して成る。第３ケーシング・ホルダー３９は第１ケーシング・ホルダー３３と同様に形成される。しかしながら、第３ケーシング・ホルダー３９はラッチ・スプリング又はコーディング・リブを有しない。この場合、第３ケーシング・ホルダー３９は、同様のＵ字形状であり、第３内面４７に第４コンタクト・ケーシング６の端面３０に平行に延在するフック６１を有する突起部３１を有する。
【００４１】
第３コネクタ・ケーシング３６は１つの部品から作られ、第５コンタクト・ケーシング７０を有して成る。第５コンタクト・ケーシング７０は第３コネクタ・ケーシング３６の上側領域に組み入れられている。更に、第３コネクタ・ケーシング３６は下側領域に第３レセプタクル６６を有して成る。第５の組み入れられたコンタクト・ケーシング７０は、第３コネクタ・ケーシング３６の上側５２に設けられているラッチ・突起部５１を更に有する。第３コネクタ・ケーシング３６の第３レセプタクル６６は第２ラッチ・レセプタクル３７を更に有して成り、第２コネクタ・ケーシング３４と同様に形成される。
【００４２】
第４モジュール５を組み立てるために、第３ケーシング・ホルダー３９は矢印の方向に第３コネクタ・ケーシング３６に押され、それによって、凹部３１が第４コンタクト・ケーシング６の溝２９に係合する。第３ケーシング・ホルダー３９は、ラッチ突起部５１を設けることにより第３コネクタ・ケーシング３６に取り付けられる。ラッチ突起部５１は、第３ケーシング・ホルダー３９の取り付け位置で第１ラッチ・レセプタクル４５に係合する。更に、バー４９は第３ケーシング・ホルダー３９と係合する。それによって、第３ケーシング・ホルダー３９が第３コネクタ・ケーシング３６に確実に取り付けられる。これにより、第１凹部１６がごみの侵入から保護され、第１凹部１６に設けられたラッチ・アーム１５が損傷から保護される。同様に、押す際の第３ケーシング・ホルダー３９のブロッキングにより第３コネクタ・ケーシング３６への第３ケーシング・ホルダーの押しが妨げられるので、第３ケーシング・ホルダー３９は、ソケット・コンタクト１２又はプラグ・コンタクト１３が第１レセプタクル１４に確実に挿入されているかどうかのチェック機能を果たしている。
【００４３】
図１２は、部分的に組み立てた状態での第２および第４モジュール５の３Ｄ図を示している。図４に示される第１モジュール２は、下方から矢印の方向で第４モジュール５に挿入される。そうする事で、第１モジュールの第１ケーシング・ホルダー３３がコーディング・リブ３８により導かれ、それによって、第４モジュール５のピン(図示せず)が第３コンタクト・ケーシング６の関連した雌コンタクトに確実に係合する。第１ケーシング・ホルダー３３は、組み立てた状態で第１ラッチ・レセプタクル３７に係合し、第４モジュール５に第１ケーシング・ホルダー３３をロックするラッチ・スプリング３５によりロックされる。
【図１】
2013526764.tif 000003
【図２】
2013526764.tif 000004
【図３】
2013526764.tif 000005
【図４】
2013526764.tif 000006
【図５】
2013526764.tif 000007
【図６】
2013526764.tif 000008
【図７】
2013526764.tif 000009
【図８】
2013526764.tif 000010
【図９】
2013526764.tif 000011
【図１０】
2013526764.tif 000012
【図１１】
2013526764.tif 000013
【図１２】
2013526764.tif 000014
【国際調査報告】
2013526764.tif 000015
2013526764.tif 000016
2013526764.tif 000017
2013526764.tif 000018
2013526764.tif 000019